(57)【要約】【課題】遊技盤の着脱作業において、遊技盤コネクタと本体部コネクタとの嵌合および嵌合解除を容易に行える遊技機を提供する。【解決手段】側方に突出したピン部１１１を有する取付部が設けられた遊技盤の背面に設けられた遊技盤コネクタ７３と、ピン部１１１を案内する案内部３１０および案内部３１０に案内されたピン部１１１が収納される収納部３２０を有して取付部と係合する取付係合部２１０が設けられ、遊技盤が前面側から取り付けられる本体部と、本体部の前面に設けられて遊技盤コネクタ７３と嵌合可能な本体部コネクタ７６とを有し、遊技盤コネクタ７３は、ピン部１１１が収納部３２０に向けて案内部３１０を案内される動作に伴って本体部コネクタ７６と嵌合され、ピン部１１１が収納部３２０と反対方向に向けて案内部３１０を案内される動作に伴って本体部コネクタ７６との嵌合が解除される。【選択図】図１７
2007275369.tif 000002
【特許請求の範囲】
【請求項１】
遊技球が転動流下する遊技領域を備え、側方に突出したピン部を有する取付部が設けられた遊技盤と、
前記遊技盤の背面に設けられ、前記遊技盤に設けられた電気部品と電気的に接続された遊技盤コネクタと、
前記ピン部を案内する案内部および当該案内部に案内された前記ピン部が収納される収納部を有して前記取付部と係合する取付係合部が設けられ、前記遊技盤が前面側から取り付けられる本体部と、
前記本体部の前面に設けられ、前記本体部に設けられた電気部品と電気的に接続されるとともに前記遊技盤コネクタと嵌合可能な本体部コネクタとを有し、
前記遊技盤コネクタは、前記ピン部が前記収納部に向けて前記案内部を案内される動作に伴って前記本体部コネクタと嵌合され、前記ピン部が前記収納部と反対方向に向けて前記案内部を案内される動作に伴って前記本体部コネクタとの嵌合が解除される
ことを特徴とする遊技機。
【請求項２】
前記ピン部は、前記遊技盤コネクタが本体部コネクタと所定の嵌合状態になったときに前記収納部に収納され、
前記遊技盤は、前記ピン部が前記収納部に収納されたときに前記本体部に固定される、
ことを特徴とする請求項１記載の遊技機。
【請求項３】
前記取付係合部には、前記収納部に収納された前記ピン部の前方への動きを規制する規制位置と、前記収納部に収納された前記ピン部の前方への動きを許容する許容位置との２つの位置に回動可能な前方向規制部が設けられ、
前記前方向規制部は、前記ピン部が前記収納部に収納されていない状態では前記遊技盤に阻止されて前記規制位置に回動不能となる、
ことを特徴とする請求項１または２記載の遊技機。
【請求項４】
前記案内部は、前後方向に延びて水平に形成されて、前記本体部の前方向から前記ピン部を受け入れてこれを後方に案内し、
前記収納部は、前記案内部の後端において陥没形成されて、前記ピン部を落とし込んで収納し、
前記遊技盤コネクタと本体部コネクタとは前後方向から嵌合する
ことを特徴とする請求項１〜３の何れか一項に記載の遊技機。
【請求項５】
前記案内部は、前後方向に延びて水平に形成されるとともに前端に壁部が立設され、前記本体部の前方向から前記壁部を乗り越えるようにして前記ピン部を受け入れてこれを一旦下方向に誘導した後に後方に案内し、
前記収納部は、前記案内部の後端において陥没形成されて、前記ピン部を落とし込んで収納し、
前記遊技盤コネクタと本体部コネクタとは上下方向から嵌合する
ことを特徴とする請求項１〜３の何れか一項に記載の遊技機。
【請求項６】
前記本体部には、前記遊技盤の底面を支持する支持部材が設けられ、
前記遊技盤が前記支持部材に支持されながら前記遊技盤コネクタが前記本体部コネクタと嵌合する
ことを特徴とする請求項１〜５の何れか一項に記載の遊技機。
【発明の詳細な説明】
【技術分野】
【０００１】
本発明は遊技機に関し、特に、本体部の前面側から遊技盤が取り付けられた遊技機に関するものである。
【背景技術】
【０００２】
遊技機には、遊技球が転動流下する遊技領域を備えた遊技盤が取り付けられている。そして、例えば特許文献１には、遊技盤をベース枠（本体部）の前面側から取り付けられた遊技機が記載されている。
【０００３】
一般的に、遊技盤には遊技盤コネクタを備えた中継基板が取り付けられており、本体部には本体部の背面に設けられた基板（電気部品）と電気的に接続された本体部コネクタが設けられている。そして、上記特許文献１においては、基板からの配線を本体部に形成された孔から前面側に取り出し、当該配線の先端に取り付けられた本体部コネクタと遊技盤コネクタとを嵌合させている。
【０００４】
これにより、遊技盤での入賞情報が基板に送信され、基板からの指示に基づいて遊技盤に設けられたソレノイドなどがオン・オフされる。
【特許文献１】特開２００５−１３１３２９号公報
【発明の開示】
【発明が解決しようとする課題】
【０００５】
しかしながら、特許文献１に記載の構成によれば、配線の取り回し作業が生じる分、遊技盤の面替えや、そのメンテナンスなどの遊技盤の着脱作業において、遊技盤コネクタを本体部コネクタと嵌合したり嵌合を解除したりするのが容易ではない。
【０００６】
そのため、遊技盤を本体部から取り外したり本体部に取り付けたりする際に手間がかかり、作業効率が低下するという問題点があった。
【０００７】
そこで、本発明は、遊技盤の着脱作業において、遊技盤コネクタと本体部コネクタとの嵌合および嵌合解除を容易に行うことのできる遊技機を提供することを目的とする。
【課題を解決するための手段】
【０００８】
上記課題を解決するため、請求項１に記載の本発明の遊技機は、遊技球が転動流下する遊技領域を備え、側方に突出したピン部を有する取付部が設けられた遊技盤と、前記遊技盤の背面に設けられ、前記遊技盤に設けられた電気部品と電気的に接続された遊技盤コネクタと、前記ピン部を案内する案内部および当該案内部に案内された前記ピン部が収納される収納部を有して前記取付部と係合する取付係合部が設けられ、前記遊技盤が前面側から取り付けられる本体部と、前記本体部の前面に設けられ、前記本体部に設けられた電気部品と電気的に接続されるとともに前記遊技盤コネクタと嵌合可能な本体部コネクタとを有し、前記遊技盤コネクタは、前記ピン部が前記収納部に向けて前記案内部を案内される動作に伴って前記本体部コネクタと嵌合され、前記ピン部が前記収納部と反対方向に向けて前記案内部を案内される動作に伴って前記本体部コネクタとの嵌合が解除されることを特徴とする。
【０００９】
このように、遊技盤のピン部が取付係合部の案内部を案内される動作に伴って遊技盤コネクタが本体部コネクタと嵌合・嵌合解除されるようになっているので、遊技盤を本体部に取り付けるだけでコネクタ同士が嵌合し、遊技盤を本体部から取り外すだけでコネクタ同士の嵌合が解除される。これにより、遊技盤を本体部に取り付ける際に、先ずコネクタ同士を嵌合させておくという作業を省くことができ、遊技盤を本体部から取り外す際に、先ずコネクタ同士の嵌合を解除しておくという作業を省くことができる。そして、遊技盤コネクタと本体部コネクタとが直接嵌合するようになっているので、配線の取り回し作業も不要となる。
【００１０】
したがって、遊技盤の着脱作業において、遊技盤コネクタと本体部コネクタとの嵌合および嵌合解除を容易に行うことが可能になる。
【００１１】
また、遊技盤の背面側にてコネクタ同士が嵌合するために、コネクタの嵌合位置は遊技者からは視認不能となることから、コネクタを介しての不正を防止することが可能になる。
【００１２】
請求項２に記載の本発明は、請求項１記載の発明の構成に加えて、前記ピン部は、前記遊技盤コネクタが本体部コネクタと所定の嵌合状態になったときに前記収納部に収納され、前記遊技盤は、前記ピン部が前記収納部に収納されたときに前記本体部に固定されることを特徴とする。
【００１３】
これにより、コネクタ同士の嵌合は作業者からは目視確認が不能であるものの、遊技盤が本体部に固定されているか否かという遊技盤の取付状態を介してコネクタ同士の嵌合を確認することが可能になる。
【００１４】
請求項３に記載の本発明は、請求項１または２記載の発明の構成に加えて、前記取付係合部には、前記収納部に収納された前記ピン部の前方への動きを規制する規制位置と、前記収納部に収納された前記ピン部の前方への動きを許容する許容位置との２つの位置に回動可能な前方向規制部が設けられ、前記前方向規制部は、前記ピン部が前記収納部に収納されていない状態では前記遊技盤に阻止されて前記規制位置に回動不能となることを特徴とする。
【００１５】
これにより、前方向規制部が規制位置に回動できない場合には遊技盤が本体部に固定されてなく、結果としてコネクタ同士が嵌合していないことになるので、前方向規制部が規制位置に回動できるか否かによってコネクタ同士の嵌合を確認することが可能になる。
【００１６】
請求項４に記載の本発明は、請求項１〜３の何れか一項に記載の発明の構成に加えて、前記案内部は、前後方向に延びて水平に形成されて、前記本体部の前方向から前記ピン部を受け入れてこれを後方に案内し、前記収納部は、前記案内部の後端において陥没形成されて、前記ピン部を落とし込んで収納し、前記遊技盤コネクタと本体部コネクタとは前後方向から嵌合することを特徴とする。
【００１７】
これにより、案内部を動くピン部の動きとコネクタ同士が嵌合する動きとを併せることで、スムーズにコネクタ同士を嵌合させることができる。また、コネクタ同士が嵌め合わさっていない場合には、ピン部は案内部に停滞して収納部に収納されないので、コネクタ同士が嵌め合わさっているかを明確に確認することができる。
【００１８】
請求項５に記載の本発明は、請求項１〜３の何れか一項に記載の発明の構成に加えて、前記案内部は、前後方向に延びて水平に形成されるとともに前端に壁部が立設され、前記本体部の前方向から前記壁部を乗り越えるようにして前記ピン部を受け入れてこれを一旦下方向に誘導した後に後方に案内し、前記収納部は、前記案内部の後端において陥没形成されて、前記ピン部を落とし込んで収納し、前記遊技盤コネクタと本体部コネクタとは上下方向から嵌合することを特徴とする。
【００１９】
これにより、案内部で下方向に誘導された後に後方に案内されるピン部の動きとコネクタ同士が嵌合する動きとを併せることで、スムーズにコネクタ同士を嵌合させることができる。また、コネクタ同士が嵌め合わさっていない場合には、ピン部は案内部に停滞して収納部に収納されないので、コネクタ同士が嵌め合わさっているかを明確に確認することができる。
【００２０】
請求項６に記載の本発明は、請求項１〜５の何れか一項に記載の発明の構成に加えて、前記本体部には、前記遊技盤の底面を支持する支持部材が設けられ、前記遊技盤が前記支持部材に支持されながら前記遊技盤コネクタが前記本体部コネクタと嵌合することを特徴とする。
【００２１】
これにより、遊技盤を本体部に取り付ける際に、遊技盤全体の重みが遊技盤コネクタのみに加わって遊技盤コネクタや本体部コネクタが破損してしまうことを防止することが可能になる。
【発明の効果】
【００２２】
本発明によれば以下の効果を奏することができる。
【００２３】
すなわち、本発明によれば、遊技盤の着脱作業において、遊技盤コネクタと本体部コネクタとの嵌合および嵌合解除を容易に行うことが可能になる。
【発明を実施するための最良の形態】
【００２４】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２５】
図１は本発明の一実施の形態である遊技機を示す斜視図、図２は図１の遊技機の正面図、図３は本発明の一実施の形態に係る遊技機の遊技盤を示す正面図、図４は図３の遊技盤の斜視図、図５は図３の遊技盤の背面図、図６は図１の遊技機の取付係合部、上下方向規制部および左右方向規制部を説明する図、図７は図１の遊技機に係る左上の取付係合部を示す斜視図、図８は図１の遊技機に係る左下の取付係合部を示す斜視図、図９は図１の遊技機に係る右下の取付係合部を示す斜視図、図１０は図１の遊技機の背面図、図１１は図１の遊技機の本体部に設けられたラウンド表示用本体部コネクタを示す斜視図、図１２は図１１のラウンド表示用本体部コネクタの動作を示す説明図、図１３は図９の取付係合部を詳細に示す斜視図、図１４は図９の取付係合部の移動許容状態および移動規制状態を説明する図、図１５は図９の取付係合部における移動許容状態での遊技盤の取付構造を説明する図、図１６は図９の取付係合部における移動規制状態での遊技盤の取付構造を説明する図、図１７は図９の取付係合部におけるピン部の動きとこれに伴うラウンド表示用遊技盤コネクタとラウンド表示用本体部コネクタとの嵌合状態を示す図、図１８は本発明の他の実施の形態の遊技機に係る遊技盤の背面を斜め下方から示す斜視図、図１９は本発明の他の実施の形態の遊技機に係る左下の取付係合部を示す斜視図、図２０は本発明の他の実施の形態の遊技機に係る右下の取付係合部を示す斜視図、図２１は本発明の他の実施の形態の遊技機に係る左上の取付係合部におけるピン部の動きとこれに伴うラウンド表示用遊技盤コネクタとラウンド表示用本体部コネクタとの嵌合状態を示す図、図２２は本発明のさらに他の実施の形態の遊技機に係る遊技盤の取付構造を示す概念図である。
【００２６】
図１および図２に示すように、パチンコ遊技機（遊技機）１は、遊技盤１０（図３、図４および図５参照）が装着される本体部２と、本体部２内で遊技盤１０の背後に設けられる表示装置としての液晶表示装置（ＬＣＤ）２０（図６参照）と、この本体部２に取り付けられるガラス扉３、上皿部４、下皿部５、カバー６およびハンドル７とを備えている。
【００２７】
ガラス扉３および上皿部４は一体化して形成されており、この一体化された開閉扉（開閉体）は、その一端が本体部２に回動可能に軸支され、他端が本体部２に係合するようになっている。ガラス扉３は、可動可能に設けられた遊技盤１０を視認可能に被うものである。
【００２８】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２９】
上皿部４の下側に位置する下皿部５は、本体部２に固定されており、払い出しにより上皿４ａからオーバーフローした遊技球が貯留される下皿５ａを有している。
【００３０】
下皿部５の右側に設けられたハンドル７は、外レール１１ａおよび内レール１１ｂ（図３および図４参照）を介して遊技盤１０の遊技領域１０ａへ遊技球を打ち込む際に回動操作されるものであり、遊技球の発射を停止させるストップボタン（図示せず）が設けられている。
【００３１】
ガラス扉３の上側に位置するカバー６は本体部２に固定されており、カバー６の左右の部位６ａ，６ｂは、本体部２に設けられる左右のスピーカ（図示せず）にそれぞれ対応して、スピーカからの音声が聞こえるような構造になっている。
【００３２】
液晶表示装置２０は、演出画像（例えば、遊技状態に対応したアニメーションやその他の報知情報など。）等を表示可能な表示領域を備えている。
【００３３】
遊技盤１０は、図３および図４に示すように、外レール１１ａおよび内レール１１ｂに包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、ワープ口１９、普通図柄表示装置（図示せず）、特別図柄表示装置（図示せず）などと、始動口１４、ポケット１４ａおよび普通電動役物１７を有する電動役物構成部材１８からなる遊技部材が配置されている。
【００３４】
ここで、一般入賞口１２は、遊技球が入賞（流入）すると所定の数の遊技球が払い戻される装置である。また、当該一般入賞口に入賞した球は、遊技盤１０の背面側に設けられた一般球通路（図示せず）を転動流下して回収される。
【００３５】
通過ゲート１３は、遊技球が通過したことを契機として普通図柄表示装置の複数の図柄を変動・停止させる装置、大入賞口１５は、特別図柄表示装置の停止時における図柄の組み合わせが予め設定された特定の図柄の組み合わせとなって特別遊技状態に移行した場合に開放状態となる装置である。また、当該大入賞口１５に入賞した球は、遊技盤１０の背面側に設けられた大入賞球通路（図示せず）を転動流下して回収される。また、アウト口１６は、一般入賞口１２、始動口１４、大入賞口１５、普通電動役物１７の何れにも入賞（流入）しなかった遊技球が流入して回収される装置である。
【００３６】
ワープ口１９は、流入した遊技球を、遊技盤１０の背面側に配置されているワープ球通路１９ａへと導く装置である。
【００３７】
ワープ球通路１９ａに導かれた遊技球は、ワープ球通路１９ａを転動流下し、始動口１４の上方に位置するワープ出口１９ｂから排出される。つまり、ワープ口１９に流入した遊技球は、ワープ球通路１９ａによって始動口１４へと案内される。
【００３８】
ここで、ワープ球通路１９ａは、前述のように遊技盤１０の背面側に配置されており、図３においては点線で示されている。また、当該ワープ球通路１９ａは、少なくとも一部が透明性を有している。
【００３９】
普通電動役物１７は、遊技球を受け入れる受け入れ口１７ａを有しており、遊技球を受け入れ易い状態と、遊技球を受け入れ難い状態との間で切換可能な開閉機構を備えた装置である。この普通電動役物１７は、通常の状態では遊技球を受け入れ難い状態となっており、所定の条件が成立した場合（例えば、普通図柄表示装置が、「当り」を意味する図柄で停止した場合）に、所定時間（例えば、０．３秒間）だけ開いて遊技球を受け入れ易い状態に切り換えられる。なお、当該受け入れ口１７ａに遊技球が入賞すると所定の数の遊技球が払い戻される。
【００４０】
始動口１４は、遊技球が入賞（流入）すると特別図柄表示装置の複数の図柄を変動・停止させる装置である。当該始動口１４に入賞した遊技球は、ポケット１４ａに入った後、遊技盤１０の背面側の始動球通路３３を転動流下して回収される。
【００４１】
ここで、始動球通路３３は、始動球通路３３ａおよび始動球通路３３ｂから構成されて遊技盤１０の背面側に配置されており、図３においては点線で示されている。また、当該始動球通路３３は、少なくとも一部が透明性を有している。
【００４２】
図３において、向かって右側の斜線で示す始動球通路３３ｂに関しては、本実施の形態では封鎖されているため、当該通路を遊技球が流下することはない。よって、遊技球が流下するのは専ら図３において向かって左側の始動球通路３３ａとなる。
【００４３】
本実施の形態において、遊技盤１０は、たとえばポリカーボネートなど透光性（透明性）を有する樹脂からなり、前述した液晶表示装置２０は、このような遊技盤１０の背後に配置され、遊技盤１０を通して視認可能になっている。
【００４４】
但し、遊技盤１０は透光性を有してさえいれば、ポリカーボネート以外の部材であってもよいし、スモークがかかったような半透明の部材でもよい。また、例えば木製など透光性を有していない部材を用いてもよい。遊技盤が透光性を有していない場合には、液晶表示装置２０は、遊技盤１０に開口された表示窓を介して視認可能に配置される。
【００４５】
また、液晶表示装置２０にかえて、例えばプラズマディスプレイ等の表示手段を用いることもできる。
【００４６】
ここで、図３、図４および図５に示すように、四角形の遊技盤１０には、その４ヶ所の隅部に、本体部２に設けられた４ヶ所の取付係合部と係合する取付部１１０，１２０，１３０，１４０が設けられている。
【００４７】
取付部１１０および取付部１２０には、遊技盤１０の左側方（遊技盤１０を表面から見て左側）に突出したピン部１１１およびピン部１２１が、一方、取付部１３０および取付部１４０には、遊技盤１０の右側方（遊技盤１０を表面から見て右側）に突出したピン部１３１およびピン部１４１が、それぞれ設けられている。
【００４８】
図５に示すように、遊技盤１０の背面には、ラウンド表示中継基板７０、演出中継基板７１および盤面中継基板７２が設けられている。ここで、ラウンド表示中継基板７０は、遊技盤１０を通して視認可能に設けられた電気部品であるラウンド数表示器（図示せず）と本体部２の背面に設けられた主制御基板とを中継する基板である。演出中継基板７１は、遊技盤１０の各所に設けられた電気部品であるランプ・ＬＥＤ（電気部品）等と本体部２の背面に設けられてこれらの発光表示制御を行う演出制御基板とを中継する基板である。盤面中継基板７２は、遊技盤１０に設けられた電気部品のうち、例えば特別図柄始動記憶表示器、普通図柄始動記憶表示器、特別図柄表示器、普通図柄表示器、大入賞口１５の開閉を行う大入賞口ソレノイド、普通電動役物１７の開閉を行うソレノイドを駆動する主制御基板とを中継する基板である。
【００４９】
但し、例えば盤面中継基板７２と演出中継基板７１とは、その位置が相互に入れ替わっていてもよい。つまり、各基板７０，７１，７２は図示する位置に限定的に配置されるものではなく、自由にレイアウトすることができる。
【００５０】
なお、ラウンド数表示器とは、たとえば２個の７セグメントＬＥＤにより構成されて２桁までの数字を表示することができるようになっており、大当り遊技状態中におけるラウンド動作回数（大入賞口１５の開閉回数）が表示されるようになっているものである。
【００５１】
そして、遊技盤１０の背面には、図面向かって左下に、ラウンド表示中継基板７０と電気的に接続されたラウンド表示用遊技盤コネクタ（遊技盤コネクタ）７３が後方に向けて設けられている。また、図面向かって右下に、演出中継基板７１と電気的に接続された演出用遊技盤コネクタ（遊技盤コネクタ）７４、および盤面中継基板７２と電気的に接続された盤面用遊技盤コネクタ（遊技盤コネクタ）７５が後方に向けてそれぞれ設けられている。
【００５２】
図６に示すように、本体部２には、遊技盤１０を固定するための予め決められた４ヶ所の部位に、遊技盤１０の取付部１１０，１２０，１３０，１４０のそれぞれと係合する取付係合部２１０，２２０，２３０，２４０が設けられている。なお、図６は、上記一体化された開閉扉（ガラス扉３および上皿部４）を開放（全開放）し、本体部２に対し液晶表示装置２０を取り付けるとともに遊技盤１０を取り外した状態を示している。
【００５３】
左上に位置する取付係合部２１０は、図７に示すように、ベース部３００および可動規制部（前方向規制部）４００を有している。ベース部３００は、本体部２の前方向から取付部１１０のピン部１１１を受け入れて、当該ピン部１１１を所定の位置において前方向への動き（つまり遊技盤１０の前方向への動き）を規制する機能を有している。可動規制部は、遊技盤１０の上方向および前方向の動きを規制する機能を有している。
【００５４】
左下に位置する取付係合部２２０は、図８に示すように、本体部２の前方向から取付部１２０のピン部１２１を受け入れて、当該ピン部１２１を所定の位置において前方向への動き（つまり遊技盤１０の前方向への動き）を規制する機能を果たすベース部３００を有している。この取付係合部２２０は、取付係合部２１０のベース部３００と同一である。
【００５５】
右上に位置する取付係合部２３０は、取付係合部２１０の構成（構造）と同様に、ベース部および可動規制部を有している。ベース部は、本体部２の前方向から取付部１３０のピン部１３１を受け入れて、当該ピン部１３１を所定の位置において前方向への動き（つまり遊技盤１０の前方向への動き）を規制する機能を有している。可動規制部は、遊技盤１０の上方向および前方向の動きを規制する機能を有している。
【００５６】
右下に位置する取付係合部２４０は、図９に示すように、取付係合部２２０の構成（構造）と同様に、本体部２の前方向から取付部１４０のピン部１４１を受け入れて、当該ピン部１４１を所定の位置において前方向への動き（つまり遊技盤１０の前方向への動き）を規制する機能を果たすベース部を有している。
【００５７】
なお、遊技盤１０の下側に設けられる取付部１２０，１４０と係合する取付係合部２２０，２４０には、取付係合部２１０，２３０に設けられている可動規制部は設けられていない。
【００５８】
再度、図６を参照して説明する。本体部２は、取付係合部２１０および取付係合部２３０は、それぞれ遊技盤１０の上方向の動きを規制する上方向規制部（図示せず）を有している。
【００５９】
本体部２には、取付係合部２２０の固定位置と取付係合部２４０の固定位置との間であって、当該２つの固定位置間を結ぶ線分よりも下方の所定の位置に、遊技盤１０の下方向の動きを規制する下方向規制部５１３，５１４と、がそれぞれ設けられている。
【００６０】
この実施の形態では、取付係合部２１０および取付係合部２３０の各上方向規制部と、下方向規制部５１３，５１４とで、遊技盤１０の上下方向の動きを規制する上下方向規制部の機能を果たすようになっている。
【００６１】
また、本体部２には、取付係合部２１０の固定位置と取付係合部２２０の固定位置との間の所定位置に、遊技盤１０の左右方向の動きを規制する左右方向規制部５１５と、取付係合部２３０の固定位置と取付係合部２４０の固定位置との間の所定位置に、遊技盤１０の左右方向の動きを規制する左右方向規制部５１６と、がそれぞれ設けられている。
【００６２】
下方向規制部５１３，５１４は、図８および図９に示すように、コ字型の形状を有しており、このコ字型形状の平坦な部位の両側から突出している部位（凸部）５１３ａ，５１４ａの先端面が、遊技盤１０の下端面と接するようになっている。しかも、下方向規制部５１３，５１４は、当該遊技盤１０の下方向の動きを規制すべく本体部２の所定の位置に固着されている。
【００６３】
左右方向規制部５１５は、図８に示すように、遊技盤１０の左側端面（遊技盤１０を表面から見て左）と接する部位、遊技盤１０の裏面と接する部位とが形成された切り欠き部５１５ａを有している。左右方向規制部５１６は、図９に示すように、遊技盤１０の右側端面（遊技盤１０を表面から見て右）と接する部位、遊技盤１０の裏面と接する部位とが形成された切り欠き部５１６ａを有している。
【００６４】
ところで、上述した上下方向規制部（取付係合部２１０，２３０および下方向規制部５１３，５１４）、および左右方向規制部５１５，５１６は、遊技盤１０に取り付けられた各取付部１１０，１２０，１３０，１４０のピン部１１１，１２１，１３１，１４１が、各取付係合部２１０，２２０，２３０，２４０に形成された後述する収納部３２０により前方向への動きを規制された状態において、遊技盤１０の上下方向あるいは左右方向の動きを規制するようになっている。
【００６５】
なお、液晶表示装置２０は、図６〜図９に示すように、その上側は取付係合部２１０，２３０によって支持され、一方、その下側は本体部２に形成された下端支持段部５１７，５１８によって支持されている。
【００６６】
図６、図８および図９に示すように、本体部２の前面には、取付係合部２２０の固定位置と取付係合部２４０の固定位置との間であって、当該２つの固定位置間を結ぶ線分よりも僅かに上方には、ラウンド表示用本体部コネクタ（本体部コネクタ）７６、演出用本体部コネクタ（本体部コネクタ）７７、および盤面用本体部コネクタ（本体部コネクタ）７８が相互に横方向に並んで、且つ前方に向けて設けられている。
【００６７】
ここで、遊技盤１０のラウンド表示用遊技盤コネクタ７３、演出用遊技盤コネクタ７４および盤面用遊技盤コネクタ７５は後方に向けて設けられていることから、後述のようにして遊技盤１０を本体部２に取り付けたならば、ラウンド表示用本体部コネクタ７６はラウンド表示用遊技盤コネクタ７３と前後方向から嵌合し、演出用本体部コネクタ７７は演出用遊技盤コネクタ７４と前後方向から嵌合し、盤面用本体部コネクタ７８は盤面用遊技盤コネクタ７５と前後方向から嵌合するようになっている。
【００６８】
次に、本体部２の背面側の構造について、図１０を用いて説明する。
【００６９】
図１０に示すように、本体部２の背面には、遊技機１の動作を実現するためのさまざまな電気部品や電気部品等を実装した基板等が搭載されている。
【００７０】
例えば、本体部２の背面中央には、主制御基板（電気部品）を保持する主制御基板ケース１００が、本体部２の背面の中央よりやや下左側には図示しない電源基板（電気部品）を保持する電源基板ケース１５０が、そして、本体部２の背面の中央よりやや下右側には、払出制御基板（電気部品）を保持する払出基板ケース（図示せず）がそれぞれ搭載されている。
【００７１】
本体部２の背面の中央よりやや上左側、すなわち主制御基板ケース１００の上方には、演出制御基板ケース（図示せず）が搭載されている。演出制御基板ケースには、主制御基板における主制御回路から受ける制御信号に基づいて所定の制御を実行する演出制御回路が搭載された演出制御基板（図示せず）が格納されている。
【００７２】
ここで、主制御基板は、パチンコ機１の遊技の進行を制御する主制御回路（制御回路）が搭載された基板であり、前述のように、遊技盤１０に設けられた電気部品のうち、例えば特別図柄始動記憶表示器、普通図柄始動記憶表示器、特別図柄表示器、普通図柄表示器、ラウンド数表示器、大入賞口の開閉を行う大入賞口ソレノイド、普通電動役物１７の開閉を行う始動口ソレノイド等を駆動する基板である。電源基板は、各電子部品が動作するために必要な電圧の電源を生成する基板である。また、払出制御基板は、賞球や貸球等を払い出す払出装置（図示せず）を駆動制御する基板である。そして、演出制御基板は、液晶表示装置２０の画像表示制御や、遊技機１の各所に配置されているランプ・ＬＥＤ（電気部品）等の発光表示制御、スピーカ６ａ，６ｂからの音出力制御を行う制御回路が搭載された基板である。
【００７３】
なお、本体部２の背面の上部には遊技球が貯留される貯留タンク４５０が配置されている。貯留タンク４５０の下方には、貯留タンク４５０に貯留された遊技球を払出装置７００に案内する整流樋６００が設けられている。整流樋６００の底面には、遊技球を整列して流下させるガイドレール（図示せず）が形成されており、これにより、貯留タンク４５０からの遊技球は整流されて払出装置７００へと案内される。さらに、本体部２の背面の各所には、電子部品を搭載した基板間を電気的に接続する配線（図示せず）が施設されている。
【００７４】
図示するように、本体部２の背面には、演出制御基板ケース、主制御基板ケース１００、電源基板ケース１５０、払出制御基板ケース等の基板ケースを覆う基板ケースカバー５００が、回動可能に軸支されて設けられている。
【００７５】
すなわち、本体部２の図面左側には、基板ケースカバー５００を回動可能に軸支する軸部３０ａ，３０ｂが上下方向に設けられており、基板ケースカバー５００の一端に形成された軸受け部５０１ａ，５０１ｂが軸部３０ａ，３０ｂに軸支されることにより、基板ケースカバー５００は本体部２の背面側に開閉可能に取り付けられる。
【００７６】
そして、上記軸側に対向する端部、すなわち開閉端側には、基板ケースカバー５００の回動を防止する固定部５０２が形成されている。
【００７７】
但し、これら基板ケースなどの搭載位置は一例に過ぎず、また、本発明の遊技機に搭載される電気部品や基板、基板ケースなどは列挙されたものに限定されない。
【００７８】
ここで、図６に示すラウンド表示用本体部コネクタ７６は主制御基板（のラウンド数表示器を制御する機能を有する部分）と図示しない配線を介して電気的に接続されており、演出用本体部コネクタ７７は演出制御基板（のランプ・ＬＥＤ（電気部品）等を発光表示を制御する機能を有する部分）と図示しない配線を介して電気的に接続されており、盤面用本体部コネクタ７８は主制御基板（の特別図柄始動記憶表示器、普通図柄始動記憶表示器、特別図柄表示器、普通図柄表示器、大入賞口１５の開閉を行う大入賞口ソレノイド、普通電動役物１７の開閉を行うソレノイドを駆動する機能を有する部分）と図示しない配線を介して電気的に接続されている。
【００７９】
したがって、遊技盤１０を本体部２に取り付けて本体部コネクタ７６，７７，７８と遊技盤コネクタ７３，７４，７５とを嵌合させると、次のようになる。すなわち、ラウンド表示用本体部コネクタ７６とラウンド表示用遊技盤コネクタ７３とを嵌合させることにより主制御基板とラウンド表示中継基板７０とが電気的に接続され、演出用本体部コネクタ７７と演出用遊技盤コネクタ７４とを嵌合させることにより演出制御基板と演出中継基板７１とが電気的に接続され、盤面用本体部コネクタ７８と盤面用遊技盤コネクタ７５とを嵌合させることにより主制御基板と盤面中継基板７２とが電気的に接続される。
【００８０】
次に、本体部２に設けられたラウンド表示用本体部コネクタ７６、演出用本体部コネクタ７７および盤面用本体部コネクタ７８の構造について、図１１および図１２を参照して詳細に説明する。なお、ラウンド表示用本体部コネクタ７６、演出用本体部コネクタ７７および盤面用本体部コネクタ７８の基本構造は何れも相互に同一であるため、ここでは、ラウンド表示用本体部コネクタ７６について説明する。
【００８１】
ラウンド表示用本体部コネクタ７６には、配線７９ａの先端に固定された端子７９ｂが複数挿入されており、本体部２に固定されたフレーム８０に、上下方向に移動可能に嵌め込まれている。すなわち、ラウンド表示用本体部コネクタ７６の両側には摺動突起７６ａがそれぞれ形成されており、フレーム８０の両内側面には、この摺動突起７６ａが嵌め込まれて摺動可能な摺動溝８０ａが上下方向に形成されている。また、フレーム８０の内底面とラウンド表示用本体部コネクタ７６との間にはコイルばね８１が装着されている。
【００８２】
したがって、通常時において、ラウンド表示用本体部コネクタ７６はコイルばね８１のばね力によりフレーム８０の内上面に圧接されている。そして、ラウンド表示用本体部コネクタ７６を下方に移動させる力が加わると、摺動突起７６ａが摺動溝８０ａ内を下方に摺動し、ラウンド表示用本体部コネクタ７６はばね力に抗して下方に移動される（図１２参照）。
【００８３】
次に、取付係合部２１０の構成について、図１３〜図１６を参照して詳細に説明する。
【００８４】
取付係合部２１０は、上述したようにベース部３００および可動規制部４００を備えている。
【００８５】
図示するように、ベース部３００は、前後方向に延びて水平に形成され、本体部２の前方向から取付部１１０のピン部１１１を受け入れて、このピン部１１１を後方へ案内する案内部３１０と、案内部３１０の後端において陥没形成されて、案内部３１０に案内されたピン部１１１を落とし込んで収納することによりピン部１１１の前方向への動きを規制する収納部３２０と、可動規制部４００を回動可能に支持する軸部３３０とを有している。
【００８６】
また、ベース部３００の部位３４０には、ネジなどの固定部材によってベース部３００を本体部２に固定するための２つの孔３４０ａが形成されている。なお、図１３において、２つの孔３４０ａの内の一方は可動規制部４００に隠蔽されているために、図示されていない。
【００８７】
図１３および図１４に示すように、可動規制部４００は、収納部３２０に収納されたピン部１１１の前方への動きを許容することにより遊技盤１０の取り付けや取り外しを可能にする許容位置Ｐ１（図１４において実線で示す位置）と、収納部３２０に収納されたピン部１１１の前方への動きを規制することにより遊技盤１０の取り外しを不能にする規制位置Ｐ２（図１４において破線で示す位置）との２つの位置に回動可能になっている。
【００８８】
なお、本実施の形態では、可動規制部４００が許容位置Ｐ１に位置するときは、例えば取付係合部２１０は移動許容状態であると定義し、規制位置Ｐ２に位置するときは、例えば取付係合部２１０は移動規制状態であると定義している。
【００８９】
この可動規制部４００は、取付係合部２１０のベース部３００に形成された軸部３３０に揺動可能に取り付けられ、また規制位置Ｐ２において、遊技盤１０に設けられた取付部１１０の上端面に突出形成された圧接部１１８に接するようになっている。
【００９０】
また、可動規制部４００は、規制位置Ｐ２において遊技盤１０の前面と接する部位４２０ａを有するストッパ部４２０を備えている。このストッパ部４２０は、図１６に示すように、実際には遊技盤１０そのものではなく、遊技盤１０に取り付けられている取付部１１０に接するようになっている。そのため、遊技盤１０に傷等を生じさせることなく、遊技盤１０の前方向への動きを規制することが可能となる。
【００９１】
なお、可動規制部４００が許容位置Ｐ１に位置していたとしても、図１３に示すように、可動規制部４００には切り欠き部４２１が形成されているので、取付部１１０のピン部１１１を案内部３１０に挿入することが可能であり、遊技盤１０の本体部２に対する取り付や取り外しの際に支障が発生しないように配慮されている。
【００９２】
また、取付部１１０のピン部１１１が収納部３２０に収納されていない状態では、ピン部１１１は案内部３１０上に位置しており遊技盤１０は適正な取付位置から前方へ外れていることになるので、可動規制部４００を許容位置Ｐ１から規制位置Ｐ２へと回動させようとしても、可動規制部４００が遊技盤１０に当接してしまうので、可動規制部４００は規制位置Ｐ２へ移動することが阻止される。
【００９３】
ここで、上述した取付係合部２１０以外の取付係合部の構造について説明すると、取付係合部２３０は取付係合部２１０と同様の機能を果たす構造になっている。また、取付係合部２２０は取付係合部２１０のベース部３００と同様の構造になっている。さらに、取付係合部２４０は取付係合部２１０のベース部３００と同様の機能を果たす構造になっている。
【００９４】
以上説明した構成において、遊技盤１０を本体部２に取り付ける場合の操作およびその取付構造について、図１４〜図１７を参照して説明する。
【００９５】
例えば、遊技機１を製作する作業者、遊技機１（の遊技盤１０）をメンテナンスする作業者などの作業者は、取付部１１０，１２０，１３０，１４０が設けられた遊技盤１０を、本体部２の取付係合部２１０，２２０，２３０，２４０へ係合させるときは、まず、取付係合部２１０の可動規制部４００が許容位置Ｐ１に位置するようにする。
【００９６】
例えば、本体部２に取り付けられている遊技盤１０をメンテナンスする場合には、移動規制状態にある取付係合部２１０の可動規制部４００を、図１４に示すように、移動許容状態つまり許容位置Ｐ１に位置するように揺動させる。取付係合部２３０についても、これと同様に操作する。
【００９７】
このようにして可動規制部４００が許容位置Ｐ１に達したときは、前述のように可動規制部４００に切り欠き部４２１が形成されているので、遊技盤１０のピン部１１１を、ベース部３００の案内部３１０に挿入することが可能となる。
【００９８】
そこで作業者は両手で遊技盤１０を持って、遊技盤１０の取付部１１０，１２０，１３０，１４０のピン部１１１、１２１，１３１，１４１を、取付係合部２１０，２２０，２３０，２４０のベース部３００の案内部３１０に挿入して後方へと案内する。そして、案内部３１０の後端に陥没形成された収納部３２０に落とし込んで収納する。
【００９９】
例えば、図１５に示すように取付部１１０のピン部１１１を、これが案内部３１０に案内されるように、案内部３１０に挿入する（図中点線矢印で示される方向に挿入する）。この図１５に示す例では、説明の都合上、可動規制部４００は省略されている。
【０１００】
このとき、図１７（ａ）に示すように、取付部１１０に設けられたピン部１１１が案内部３１０に導入された直後では、遊技盤１０に設けられたラウンド表示用遊技盤コネクタ７３はラウンド表示用本体部コネクタ７６と前後方向に対向している。図１７（ｂ）に示すように、ピン部１１１が収納部３２０に向けて案内部３１０を案内される動作に伴ってラウンド表示用遊技盤コネクタ７３はラウンド表示用本体部コネクタ７６と嵌合する。そして、図１７（ｃ）に示すように、ラウンド表示用遊技盤コネクタ７３がラウンド表示用本体部コネクタ７６と完全に嵌合した状態となったならばピン部１１１が収納部３２０に収納されて遊技盤１０が収納部３２０の段差分だけ下方に移動して本体部２に固定され、これに伴ってラウンド表示用遊技盤コネクタ７３がラウンド表示用本体部コネクタ７６をコイルばね８１のばね力に抗してフレーム８０内を下方に移動させる。
【０１０１】
なお、以上の作業を逆に行うことにより、つまり遊技盤１０を持ち上げてピン部１１１を収納部３２０から離脱させ、ピン部１１１を収納部３２０と反対方向に向けて案内部３１０を案内させることにより、ラウンド表示用遊技盤コネクタ７３はラウンド表示用本体部コネクタ７６との嵌合が解除される。
【０１０２】
ここで、図１７では取付部１１０に設けられたピン部１１１、およびラウンド表示用遊技盤コネクタ７３とラウンド表示用本体部コネクタ７６との関係について示されているが、取付部１２０，１３０，１４０に設けられたピン部１２１，１３１，１４１、および演出用本体部コネクタ７７と演出用遊技盤コネクタ７４との関係、ならびに盤面用本体部コネクタ７８と盤面用遊技盤コネクタ７５との関係についても同様となる。
【０１０３】
このようにして遊技盤１０の各取付部１１０，１２０，１３０，１４０の各ピン部１１１、１２１，１３１，１４１が各取付係合部２１０，２２０，２３０，２４０の各収納部３２０に収容された場合は、遊技盤１０の仮固定が終了したことになる。そして、遊技盤１０の仮固定が終了したときは、各ピン部１１１、１２１，１３１，１４１を介して遊技盤１０の前方向への動きが規制されているので、遊技盤１０は前方向へ移動（倒れる）ことはない。
【０１０４】
そのため、遊技盤１０の仮固定を終了した場合には、作業者は遊技盤１０を抑えていた両手を離して、次の作業に移行することが可能になる。すなわち、作業者は、許容位置Ｐ１に位置する取付係合部２１０，２３０の可動規制部４００を、許容位置Ｐ１から規制位置Ｐ２へ移動させる回動操作を行う。
【０１０５】
すると、例えば取付係合部２１０においては、可動規制部４００の底面が、遊技盤１０に設けられた取付部１１０に形成されている圧接部１１８に圧接する。
【０１０６】
これにより、遊技盤１０は、上方向規制部（つまり取付係合部２１０，２３０の可動規制部４００）、および下方向規制部５１３，５１４によって上下方向の動きが規制されることになる。
【０１０７】
また、移動規制状態にある例えば取付係合部２１０においては、可動規制部４００のストッパ部４２０の部位（側面）４２０ａに取付部１１０が接する。
【０１０８】
これにより、遊技盤１０は、ベース部３００の収納部３２０による前方向への動きの規制に加えて、より一層、前方向への動きが規制される。
【０１０９】
さらに、上述したように、上方向規制部つまり取付係合部２１０，２３０の可動規制部４００および下方向規制部５１３，５１４、換言すれば上下方向規制部によって上下方向の動きが規制されているときは、左右方向規制部５１５，５１６によって左右方向の動きが規制されていることになる。
【０１１０】
このように遊技盤１０は、上下方向、左右方向および前方向の動きが規制されるので、本体部２（の各取付係合部）に確実に固定されることとなる。これで、遊技盤１０の本固定が終了したことになる。
【０１１１】
上述したように、作業者は、遊技盤１０の各取付部１１０，１２０，１３０，１４０の各ピン部１１１，１２１，１３１，１４１を、本体部２の各取付係合部２１０，２２０，２３０，２４０の各ベース部３００の案内部３１０に案内して後方に移動させ、これを収納部３２０に収容し、その後、上側の２つの取付係合部２１０，２３０の可動規制部４００を許容位置Ｐ１から規制位置Ｐ２へ移動させることにより、遊技盤１０の仮固定から本固定までの取付作業を、一連の作業で実施することが可能になる。
【０１１２】
このように、本実施の形態の遊技機では、遊技盤１０のピン部１１１，１２１，１３１，１４１が取付係合部２１０，２２０，２３０，２４０の案内部３１０を案内される動作に伴って遊技盤コネクタ７３，７４，７５が本体部コネクタ７６，７７，７８と嵌合し、あるいは嵌合が解除されるようになっている。したがって、遊技盤１０を本体部２に取り付けるだけで遊技盤コネクタ７３，７４，７５が本体部コネクタ７６，７７，７８と嵌合し、遊技盤１０を本体部２から取り外すだけで嵌合が解除される。
【０１１３】
これにより、遊技盤１０を本体部２に取り付ける際に、先ず遊技盤コネクタ７３，７４，７５と本体部コネクタ７６，７７，７８とを嵌合させておくという作業を省くことができる。また、遊技盤１０を本体部２から取り外す際に、先ず遊技盤コネクタ７３，７４，７５と本体部コネクタ７６，７７，７８との嵌合を解除しておくという作業を省くことができる。そして、遊技盤コネクタ７３，７４，７５と本体部コネクタ７６，７７，７８とが直接嵌合するようになっているので、両者を接続するための配線の取り回し作業も不要となる。
【０１１４】
したがって、遊技盤１０の着脱作業において、遊技盤コネクタ７３，７４，７５と本体部コネクタ７６，７７，７８との嵌合および嵌合解除を容易に行うことが可能になる。
【０１１５】
また、遊技盤１０の背面側にて遊技盤コネクタ７３，７４，７５と本体部コネクタ７６，７７，７８とが嵌合するようになっているので、コネクタの嵌合位置は遊技者からは視認不能となる。これにより、不正な電子部品を接続して遊技球を大量に払い出させるようにする、いわゆるぶら下げ等、コネクタを介しての不正を防止することが可能になる。
【０１１６】
さらに、ピン部１１１，１２１，１３１，１４１は、遊技盤コネクタ７３，７４，７５が本体部コネクタ７６，７７，７８と完全に嵌合した状態（所定の嵌合状態）になったときに収納部３２０に収納され、これとともに遊技盤１０が本体部２に固定されるようになっている。したがって、コネクタ同士の嵌合は作業者からは目視確認が不能であるものの、遊技盤１０が本体部２に固定されているか否かという遊技盤１０の取付状態を介してコネクタ同士の嵌合を確認することが可能になる。
【０１１７】
さらに、可動規制部４００は、ピン部１１１，１２１，１３１，１４１が収納部３２０に収納されていない状態では遊技盤１０に阻止されて規制位置Ｐ２に回動不能となっているので、可動規制部４００が規制位置に回動できない場合には遊技盤１０が本体部２に固定されてなく、結果としてコネクタ同士が嵌合していないことになる。したがって、可動規制部４００が規制位置Ｐ２に回動できるか否かによってコネクタ同士の嵌合を確認することが可能になる。
【０１１８】
そして、案内部３１０は前後方向に延びて水平に形成されており、本体部２の前方向からピン部１１１，１２１，１３１，１４１を受け入れてこれを後方に案内する。また、収納部３２０は、案内部３１０の後端において陥没形成されて、ピン部１１１，１２１，１３１，１４１を落とし込んで収納する。そして、遊技盤コネクタ７３，７４，７５と本体部コネクタ７６，７７，７８とは前後方向から嵌合するようになっている。したがって、案内部３１０を動くピン部１１１，１２１，１３１，１４１の動きとコネクタ同士が嵌合する動きとが一致しており、スムーズにコネクタ同士を嵌合させることができる。また、コネクタ同士が嵌め合わさっていない場合には、ピン部１１１，１２１，１３１，１４１は案内部３１０に停滞して収納部３２０に収納されなくなるので、コネクタ同士が嵌め合わさっているかを明確に確認することができる。
【０１１９】
以上の説明では、遊技盤１０の遊技盤コネクタ７３，７４，７５が後方に向けて設けられるとともに、本体部２の本体部コネクタ７６，７７，７８が前方に向けて設けられ、遊技盤コネクタ７３，７４，７５と本体部コネクタ７６，７７，７８とは前後方向から嵌合するようになっていた。
【０１２０】
しかしながら、図１８に示すように、遊技盤１０の遊技盤コネクタ７３，７４，７５を下方に向けて設けるとともに、図１９および図２０に示すように、本体部２の本体部コネクタ７６，７７，７８を上方に向けて設け、遊技盤コネクタ７３，７４，７５と本体部コネクタ７６，７７，７８とが上下方向から嵌合するようにしてもよい。
【０１２１】
この場合には、図１９、図２０および図２１に示すように、取付係合部２１０，２２０，２３０，２４０の案内部３１０は、前後方向に延びて水平に形成され、さらに前端には壁部３５０が立設されている。そして、本体部２の前方向から壁部３５０を乗り越えるようにしてピン部１１１，１２１，１３１，１４１を受け入れてこれを一旦下方向に誘導した後に後方に案内するようになっている。また、収納部３２０は、案内部３１０の後端において陥没形成されて、ピン部１１１，１２１，１３１，１４１を落とし込んで収納する。
【０１２２】
なお、本体部２に設けられたラウンド表示用本体部コネクタ７６、演出用本体部コネクタ７７および盤面用本体部コネクタ７８の構造は、図１１に示す構造を後方に倒して上方に向け、コイルばね８１を反対側に移動させたものになる。これにより、本体部コネクタ７６，７７，７８は、通常時において、コイルばね８１のばね力によりフレーム８０の前方内面に圧接され、後方に移動させる力が加わると、ばね力に抗してフレーム８０の後方内面に移動される。
【０１２３】
このような構造では、図２１（ａ）に示すように、取付部１１０に設けられたピン部１１１が壁部３５０を乗り越えて案内部３１０に導入された直後では、遊技盤１０に設けられたラウンド表示用遊技盤コネクタ７３はラウンド表示用本体部コネクタ７６と上下方向に対向している。図２１（ｂ）に示すように、ピン部１１１が案内部３１０で下方向に誘導されることによってラウンド表示用遊技盤コネクタ７３はラウンド表示用本体部コネクタ７６と完全に嵌合する。そして、図２１（ｃ）に示すように、ピン部１１１が案内部３１０を案内されて収納部３２０に収納され、遊技盤１０が収納部３２０の段差分だけ下方に移動して本体部２に固定され、これに伴ってラウンド表示用遊技盤コネクタ７３がラウンド表示用本体部コネクタ７６をコイルばね８１のばね力に抗してフレーム８０内を後方に移動させる。
【０１２４】
なお、図２１では取付部１１０に設けられたピン部１１１、およびラウンド表示用遊技盤コネクタ７３とラウンド表示用本体部コネクタ７６との関係について示されているが、取付部１２０，１３０，１４０に設けられたピン部１２１，１３１，１４１、および演出用本体部コネクタ７７と演出用遊技盤コネクタ７４との関係、ならびに盤面用本体部コネクタ７８と盤面用遊技盤コネクタ７５との関係についても同様となる。
【０１２５】
このように、案内部３１０で下方向に誘導された後に後方に案内されるピン部１１１，１２１，１３１，１４１の動きとコネクタ同士が嵌合する動きとを併せることで、スムーズにコネクタ同士を嵌合させることができる。
【０１２６】
また、コネクタ同士が嵌め合わさっていない場合には、ピン部１１１，１２１，１３１，１４１は案内部３１０に停滞して収納部３２０に収納されないので、コネクタ同士が嵌め合わさっているかを明確に確認することができる。
【０１２７】
ここで、以上の説明では、遊技盤１０を下方向規制部５１３，５１４に載置するようにしていたが、遊技盤１０を本体部２に取り付ける過程においては、遊技盤コネクタ７３，７４，７５が本体部コネクタ７６，７７，７８と嵌合することにより遊技盤１０全体の重みが遊技盤コネクタ７３，７４，７５に加わる構造となる場合もあり得る。そして、この場合には、遊技盤コネクタ７３，７４，７５や本体部コネクタ７６，７７，７８が破損してしまうことが懸念される。
【０１２８】
そこで、このような懸念を払拭するためには、図２２に示すように、本体部２に、遊技盤１０の底面を支持する支持部材９０を設け、遊技盤１０がこの支持部材９０に支持されながら遊技盤コネクタが本体部コネクタと嵌合するようにすればよい。このとき、支持部材９０は、その幅方向の略中心を支点にして揺動可能となるように本体部２に取り付けるようにする。
【０１２９】
このような構造によれば、遊技盤１０を本体部２に取り付ける際に、遊技盤１０の荷重が支持部材９０に加わることになるので、遊技盤１０の重みによって遊技盤コネクタ７３，７４，７５や本体部コネクタ７６，７７，７８が破損してしまうことが防止される。
【産業上の利用可能性】
【０１３０】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【０１３１】
【図１】本発明の一実施の形態である遊技機を示す斜視図である。
【図２】図１の遊技機の正面図である。
【図３】本発明の一実施の形態に係る遊技機の遊技盤を示す正面図である。
【図４】図３の遊技盤の斜視図である。
【図５】図３の遊技盤の背面図である。
【図６】図１の遊技機の取付係合部、上下方向規制部および左右方向規制部を説明する図である。
【図７】図１の遊技機に係る左上の取付係合部を示す斜視図である。
【図８】図１の遊技機に係る左下の取付係合部を示す斜視図である。
【図９】図１の遊技機に係る右下の取付係合部を示す斜視図である。
【図１０】図１の遊技機の背面図である。
【図１１】図１の遊技機の本体部に設けられたラウンド表示用本体部コネクタを示す斜視図である。
【図１２】図１１のラウンド表示用本体部コネクタの動作を示す説明図である。
【図１３】図９の取付係合部を詳細に示す斜視図である。
【図１４】図９の取付係合部の移動許容状態および移動規制状態を説明する図である。
【図１５】図９の取付係合部における移動許容状態での遊技盤の取付構造を説明する図である。
【図１６】図９の取付係合部における移動規制状態での遊技盤の取付構造を説明する図である。
【図１７】図９の取付係合部におけるピン部の動きとこれに伴うラウンド表示用遊技盤コネクタとラウンド表示用本体部コネクタとの嵌合状態を示す図である。
【図１８】本発明の他の実施の形態の遊技機に係る遊技盤の背面を斜め下方から示す斜視図である。
【図１９】本発明の他の実施の形態の遊技機に係る左下の取付係合部を示す斜視図である。
【図２０】本発明の他の実施の形態の遊技機に係る右下の取付係合部を示す斜視図である。
【図２１】本発明の他の実施の形態の遊技機に係る左上の取付係合部におけるピン部の動きとこれに伴うラウンド表示用遊技盤コネクタとラウンド表示用本体部コネクタとの嵌合状態を示す図である。
【図２２】本発明のさらに他の実施の形態の遊技機に係る遊技盤の取付構造を示す概念図である。
【符号の説明】
【０１３２】
１  遊技機
２  本体部
３  ガラス扉
４  上皿部
４ａ  上皿
５  下皿部
５ａ  下皿
６  カバー
６ａ，６ｂ  スピーカ
７  ハンドル
８  シャッタレバー
１０  遊技盤
１０ａ  遊技領域
１１ａ  外レール
１１ｂ  内レール
１２  一般入賞口
１３  通過ゲート
１４  始動口
１４ａ  ポケット
１５  大入賞口
１６  アウト口
１７  普通電動役物
１７ａ  受け入れ口
１８  電動役物構成部材
１９  ワープ口
１９ａ  ワープ球通路
１９ｂ  ワープ出口
２０  液晶表示装置
３０ａ，３０ｂ  軸部
３３  始動球通路
３３ａ，３３ｂ  始動球通路
７０  ラウンド表示中継基板
７１  演出中継基板
７２  盤面中継基板
７３  ラウンド表示用遊技盤コネクタ
７４  演出用遊技盤コネクタ
７５  盤面用遊技盤コネクタ
７６  ラウンド表示用本体部コネクタ
７６ａ  摺動突起
７７  演出用本体部コネクタ
７８  盤面用本体部コネクタ
７９ａ  配線
７９ｂ  端子
８０  フレーム
８０ａ  摺動溝
８１  コイルばね
９０  支持部材
１００  主制御基板ケース
１１０，１２０，１３０，１４０  取付部
１１１，１２１，１３１，１４１  ピン部
１１８  圧接部
１５０  電源基板ケース
２１０，２２０，２３０，２４０  取付係合部
３００  ベース部
３１０  案内部
３２０  収納部
３３０  軸部
３４０  部位
３４０ａ  孔
３５０  壁部
４００  可動規制部
４２０  ストッパ部
４２０ａ  部位
４２１  切り欠き部
４５０  貯留タンク
５００  基板ケースカバー
５０１ａ，５０１ｂ  軸受け部
５０２  固定部
５１３，５１４  下方向規制部
５１５  左右方向規制部
５１５，５１６  左右方向規制部
５１５ａ  切り欠き部
５１６  左右方向規制部
５１６ａ  切り欠き部
５１７，５１８  下端支持段部
６００  整流樋
７００  払出装置
Ｐ１  許容位置
Ｐ２  規制位置
【図１】
2007275369.tif 000003
【図２】
2007275369.tif 000004
【図３】
2007275369.tif 000005
【図４】
2007275369.tif 000006
【図５】
2007275369.tif 000007
【図６】
2007275369.tif 000008
【図７】
2007275369.tif 000009
【図８】
2007275369.tif 000010
【図９】
2007275369.tif 000011
【図１０】
2007275369.tif 000012
【図１１】
2007275369.tif 000013
【図１２】
2007275369.tif 000014
【図１３】
2007275369.tif 000015
【図１４】
2007275369.tif 000016
【図１５】
2007275369.tif 000017
【図１６】
2007275369.tif 000018
【図１７】
2007275369.tif 000019
【図１８】
2007275369.tif 000020
【図１９】
2007275369.tif 000021
【図２０】
2007275369.tif 000022
【図２１】
2007275369.tif 000023
【図２２】
2007275369.tif 000024